(57)【要約】【課題】漏れ電流に起因するノイズ音の発生を防ぐことができるバックライト装置、及びこれを用いた表示装置を提供する。【解決手段】冷陰極蛍光管（線状光源）６、及び冷陰極蛍光管６を収納したシャーシ２ａを有するバックライト装置２において、冷陰極蛍光管６を点灯駆動したときに、シャーシ２ａの内部を伝搬する音波を反射させることにより、音波がシャーシ２ａの内部で共鳴するのを防止する共鳴防止部材７をシャーシ２ａの内部に設ける。【選択図】図２
2008251459.tif 000002
【特許請求の範囲】
【請求項１】
所定の調光周波数で点灯駆動される線状光源と、
前記線状光源を収納したシャーシと、
前記シャーシの内部に設けられるとともに、前記線状光源を点灯駆動したときに、前記シャーシの内部を伝搬する音波を反射させることにより、前記音波が前記シャーシ内部で共鳴するのを防止する共鳴防止部材と
を備えていることを特徴とするバックライト装置。
【請求項２】
前記シャーシの内部には、複数個の前記共鳴防止部材が所定の配置方向と平行となるように設けられるとともに、
前記複数個の共鳴防止部材では、前記配置方向と直交する直交方向で隣接する２個の共鳴防止部材が、前記直交方向に対して互いに斜めにずらされた状態で、配設されている請求項１に記載のバックライト装置。
【請求項３】
前記シャーシの内部には、１個の前記共鳴防止部材、あるいは少なくとも２個の前記共鳴防止部材が所定の配置方向と平行となるように設けられるとともに、
自然数をＮとし、前記調光周波数をｆとし、空気中での音速をｖと標記したときに、
前記１個の共鳴防止部材が設けられている場合においては、当該１個の共鳴防止部材と前記シャーシの互いに対向する一方及び他方の各側面との間の前記配置方向と直交する直交方向における、各々の離間距離Ｃが、下記の式（１）を満足し、
前記少なくとも２個の共鳴防止部材が設けられている場合においては、前記少なくとも２個の各共鳴防止部材と前記シャーシの互いに対向する一方及び他方の各側面との間及び各共鳴防止部材と他の共鳴防止部材との間の前記配置方向と直交する直交方向における、各々の離間距離Ｃが、下記の式（１）を満足している請求項１または２に記載のバックライト装置。
Ｃ  ≠  ２×ｖ  ÷  （Ｎ×ｆ）                              ――（１）
【請求項４】
前記共鳴防止部材は、前記線状光源の長手方向と直交する方向と平行となるように設けられている請求項１〜３のいずれか１項に記載のバックライト装置。
【請求項５】
請求項１〜４のいずれか１項に記載のバックライト装置を用いたことを特徴とする表示装置。
【発明の詳細な説明】
【技術分野】
【０００１】
本発明は、バックライト装置、及びこれを用いた表示装置に関する。
【背景技術】
【０００２】
近年、例えば家庭用のテレビ受信装置では、液晶表示装置に代表されるように、在来のブラウン管に比べ薄型、軽量等の多くの特長を有するフラットな表示部としての液晶パネルを備えた表示装置が主流になりつつある。このような液晶表示装置には、光を発光するバックライト装置と、バックライト装置に設けられた光源からの光に対してシャッターの役割を果たすことで、所望画像を表示する液晶パネルとが設けられている。そして、テレビ受信装置では、テレビ放送の映像信号に含まれた文字、画像等の情報を液晶パネルの表示面上に表示するようになっている。
【０００３】
また、上記バックライト装置では、液晶パネルに対する光源の配置の仕方によって直下型とエッジライト型とに大別されるが、２０インチ以上の液晶パネルを備えた液晶表示装置では、エッジライト型よりも高輝度・大型化を図り易い直下型のバックライト装置が一般的に使用されている。すなわち、直下型のバックライト装置は、液晶パネルの背後（非表示面）側に、複数の光源を配置して構成されており、液晶パネルのすぐ裏側に光源を配置できるため、多数の光源を使用することが可能となり、高輝度が得やすく高輝度・大型化に適している。また、直下型のバックライト装置は、装置内部が中空構造であるため、大型化しても軽量であることからも、高輝度・大型化に適している。
【０００４】
また、上記のような従来の直下型のバックライト装置では、例えば下記特許文献１に記載されているように、（線状）光源としての複数の冷陰極蛍光管を金属製のシャーシに収容するとともに、シャーシの内面に金属製の反射板を設置することにより冷陰極蛍光管の光利用効率を高めることが提案されている。
【０００５】
また、従来のバックライト装置には、例えば下記特許文献２に記載されているように、ＰＷＭ（Pulse Width Modulation）調光を用いて、冷陰極蛍光管を点灯駆動することにより、発光面から液晶パネルへの入射光の光量を調整して、液晶表示装置の表示面での明るさ（輝度）を制御することが提案されている。すなわち、この従来のバックライト装置では、在来の電流調光に比べて、発光面での調光範囲、すなわち調整可能な輝度範囲が大きいＰＷＭ調光を用いることにより、表示性能（明るさ）に優れた液晶表示装置を構成することが示されている。
【特許文献１】特開２００２−１９６３２６号公報
【特許文献２】特開２０００−２９２７６７号公報
【発明の開示】
【発明が解決しようとする課題】
【０００６】
しかしながら、上記従来のバックライト装置では、漏れ電流に起因して、音波が発生することがあった。特に、上記特許文献２に記載されているＰＷＭ調光を用いて、冷陰極蛍光管を点灯駆動させるときでは、そのＰＷＭ調光での調光周波数やシャーシの寸法などによっては、上記音波が共鳴現象により、ユーザの可聴レベルまで増幅されて、ノイズ音として認識されることがあった。
【０００７】
具体的にいえば、上記従来のバックライト装置では、冷陰極蛍光管の発光面の反対側には金属製の反射板及びシャーシが設けられており、冷陰極蛍光管では反射板及びシャーシとの各間などの冷陰極蛍光管の周辺部に存在する寄生容量によって漏れ電流が生じた。また、このような漏れ電流が生じると、上記調光周波数を基本周波数とする音波が漏れ電流の大きさなどに応じて、シャーシの内部に発生した。そして、シャーシの長辺または短辺の寸法等で規定されるシャーシ側の固有周波数によっては、上記音波がシャーシの内部で共鳴し増幅されて、ノイズ音として外部に漏れ出ることがあった。
【０００８】
また、上記のような漏れ電流の発生を防ぐ方法として、金属製の反射板及びシャーシに代えて、合成樹脂製の反射板及びシャーシを使用することが考えられる。しかしながら、合成樹脂製の反射板及びシャーシを使用した場合には、金属製の反射板及びシャーシを使用した場合に比べて、冷陰極蛍光管を点灯駆動する点灯回路（インバータ回路）での漏れインダクタンスが著しく小さい値となり、インバータ回路での電力効率の低下が発生して、冷陰極蛍光管を効率よく点灯駆動できないという別の問題点を生じた。
【０００９】
上記の課題を鑑み、本発明は、漏れ電流に起因するノイズ音の発生を防ぐことができるバックライト装置、及びこれを用いた表示装置を提供することを目的とする。
【課題を解決するための手段】
【００１０】
上記の目的を達成するために、本発明にかかるバックライト装置は、所定の調光周波数で点灯駆動される線状光源と、
前記線状光源を収納したシャーシと、
前記シャーシの内部に設けられるとともに、前記線状光源を点灯駆動したときに、前記シャーシの内部を伝搬する音波を反射させることにより、前記音波が前記シャーシ内部で共鳴するのを防止する共鳴防止部材とを備えていることを特徴とするものである。
【００１１】
上記のように構成されたバックライト装置では、共鳴防止部材が線状光源を点灯駆動したときに、シャーシの内部を伝搬する音波を異なる位相で反射させることにより、当該音波が共鳴するのを防止する。これにより、上記従来例と異なり、漏れ電流に起因する音波がシャーシの内部に発生したときでも、当該音波がシャーシの内部で増幅されるのを防ぐことができ、ノイズ音として外部に漏れ出るのを防止することができる。
【００１２】
また、上記バックライト装置において、前記シャーシの内部には、複数個の前記共鳴防止部材が所定の配置方向と平行となるように設けられるとともに、
前記複数個の共鳴防止部材では、前記配置方向と直交する直交方向で隣接する２個の共鳴防止部材が、前記直交方向に対して互いに斜めにずらされた状態で、配設されていることが好ましい。
【００１３】
この場合、共鳴防止部材の設置に伴って、線状光源から外部に出射される光の輝度が部分的に低下するのを確実に抑制することができ、バックライト装置に輝度ムラが生じるのを防ぐことができる。
【００１４】
また、上記バックライト装置において、前記シャーシの内部には、１個の前記共鳴防止部材、あるいは少なくとも２個の前記共鳴防止部材が所定の配置方向と平行となるように設けられるとともに、
自然数をＮとし、前記調光周波数をｆとし、空気中での音速をｖと標記したときに、
前記１個の共鳴防止部材が設けられている場合においては、当該１個の共鳴防止部材と前記シャーシの互いに対向する一方及び他方の各側面との間の前記配置方向と直交する直交方向における、各々の離間距離Ｃが、下記の式（１）を満足し、
前記少なくとも２個の共鳴防止部材が設けられている場合においては、前記少なくとも２個の各共鳴防止部材と前記シャーシの互いに対向する一方及び他方の各側面との間及び各共鳴防止部材と他の共鳴防止部材との間の前記配置方向と直交する直交方向における、各々の離間距離Ｃが、下記の式（１）を満足していることが好ましい。
【００１５】
Ｃ  ≠  ２×ｖ  ÷  （Ｎ×ｆ）                              ――（１）
この場合、共鳴防止部材は上記音波の共鳴現象の発生を確実に防ぐことができ、上記ノイズ音の外部への漏洩をより確実に防止することができる。
【００１６】
また、上記バックライト装置において、前記共鳴防止部材は、前記線状光源の長手方向と直交する方向と平行となるように設けられてもよい。
【００１７】
この場合、共鳴防止部材と、線状光源を保持する光源保持具とを兼用させることができ、バックライト装置の部品点数の削減を図ることができる。
【００１８】
また、本発明の表示装置は、上記いずれかのバックライト装置を用いたことを特徴とするものである。
【００１９】
上記のように構成された表示装置では、漏れ電流に起因するノイズ音の発生を防ぐことができるバックライト装置が用いられているので、上記ノイズ音の発生が防がれた低騒音な表示装置を容易に構成することができる。
【発明の効果】
【００２０】
本発明によれば、漏れ電流に起因するノイズ音の発生を防ぐことができるバックライト装置、及びこれを用いた表示装置を提供することが可能となる。
【発明を実施するための最良の形態】
【００２１】
以下、本発明のバックライト装置、及びこれを用いた表示装置の好ましい実施形態について、図面を参照しながら説明する。なお、以下の説明では、本発明を透過型の液晶表示装置に適用した場合を例示して説明する。
【００２２】
［第１の実施形態］
図１は、本発明の第１の実施形態にかかるバックライト装置及び液晶表示装置を説明する図である。図において、本実施形態の液晶表示装置１には、本発明のバックライト装置２と、バックライト装置２の上方に配置されて、当該バックライト装置２からの光が照明光として入射される液晶パネル３とが設けられている。そして、本実施形態では、バックライト装置２と液晶パネル３とが、透過型の液晶表示装置１として一体化されている。また、液晶表示装置１では、液晶パネル３の非表示面側及び表示面側に、透過軸が互いにクロスニコルに配置された一対の偏光板４及び５がそれぞれ設置されており、バックライト装置２からの照明光が入射されているときに液晶パネル３は文字及び画像などの情報を表示するようになっている。
【００２３】
バックライト装置２には、一端側に開口部が設けられるとともに、アルミニウムなどの金属によって構成された有底状のシャーシ２ａと、シャーシ２ａに収納された複数本の冷陰極蛍光管６が設けられている。シャーシ２ａの内面には、例えばアルミニウムや銀などの光反射率の高い金属薄膜からなる反射シート２ｂが設置されており、冷陰極蛍光管６からの光を液晶パネル３側に反射させることにて当該冷陰極蛍光管６の光利用効率を向上させるようになっている。なお、反射シート２ｂに代えて、発泡性ポリエステルなどの反射フィルムを用いたり、シャーシ２ａの内面を白色や銀色などの光反射率の高い色としたりすることにより、冷陰極蛍光管６の光利用効率を向上させてもよい。
【００２４】
また、各冷陰極蛍光管６には、直管状のものが用いられており、その両端部に設けられた電極部（図示せず）がシャーシ２ａの外側にて支持されている。また、各冷陰極蛍光管６には、直径３．０〜４．０ｍｍ程度の発光効率に優れた細管化されたものが使用されており、各冷陰極蛍光管６は、光源保持具を兼用した共鳴防止部材７によって、拡散板８及び反射シート２ｂとの各間の距離を所定の距離に保たれた状態で、シャーシ２ａの内部に保持されている。また、バックライト装置２では、上記共鳴防止部材７により、漏れ電流に起因するノイズ音の発生が防がれるように構成されている（詳細は後述。）。
【００２５】
さらに、冷陰極蛍光管６は、その長手方向が重力の作用方向と直交する方向に平行となるように配置されている。これにより、冷陰極蛍光管６では、その内部に封入された水銀（蒸気）が重力の作用により長手方向の一方の端部側に集まるのが防がれて、ランプ寿命が大幅に向上されている。
【００２６】
また、バックライト装置２では、シャーシ２ａの開口部を覆うように設置された拡散板８と、拡散板８の上方に設置された光学シート９とが設けられている。拡散板８は、例えば厚さ２ｍｍ程度の長方形状の合成樹脂またはガラス材を用いて構成されている。また、拡散板８は、シャーシ２ａ上で移動可能に保持されており、冷陰極蛍光管６の発熱やシャーシ２ａの内部の温度上昇等の熱の影響により、当該拡散板８に伸縮（塑性）変形が生じたときでも、シャーシ２ａ上で移動することで変形を吸収可能になっている。
【００２７】
光学シート９には、例えば厚さ０．５ｍｍ程度の合成樹脂フィルムにて構成された拡散シートが含まれており、液晶パネル３への上記照明光を適度に拡散して当該液晶パネル３の表示面での表示品位を向上させるように構成されている。また、光学シート９には、液晶パネル３の表示面での表示品位の向上を行うためなどのプリズムシート、偏光シートなどの公知の光学シート材が必要に応じて適宜積層されるようになっている。そして、光学シート９は、拡散板８から出射された面状光を、所定の輝度（例えば、１００００ｃｄ／ｍ2）以上で、かつ、ほぼ均一な輝度を有する面状光に変換して照明光として液晶パネル３側に入射させるように構成されている。尚、上記の説明以外に、例えば液晶パネル３の上方（表示面側）に当該液晶パネル３の視野角を調整するための拡散シートなどの光学部材を適宜積層してもよい。
【００２８】
また、シャーシ２ａの外側には、液晶パネル３を駆動する駆動回路１０、及び複数の各冷陰極蛍光管６をインバータ駆動により高周波点灯させるインバータ回路１１が設置されている。また、インバータ回路１１では、ＰＷＭ調光を用いて、複数本の各冷陰極蛍光管６を点灯駆動するようになっている。
【００２９】
具体的にいえば、バックライト装置２において、上記照明光の輝度の変更を指示する調光指示信号が外部から入力されると、入力された調光指示信号に基づいてＰＷＭ調光におけるＰＷＭ周期でのオン期間とオフ期間とのオン／オフデューティ比が決定される。そして、インバータ回路１１は、決定されたオン／オフデューティ比にしたがって、各冷陰極蛍光管６に対し、電力供給を行うように構成されている。また、上記調光周波数には、１００〜６００Ｈｚ程度の範囲内の値（例えば、４００Ｈｚ）が選択されている。また、ＰＷＭ調光のオン期間において、各冷陰極蛍光管６に供給されるランプ電流の具体的な周波数には、３０〜６０ＫＨｚ程度の範囲内の値（例えば、３０ＫＨｚ）が選択されている。
【００３０】
一方、シャーシ２ａの内部には、上記共鳴防止部材７が設けられており、当該シャーシ２ａの内部で発生した音波を反射させて、ノイズ音の発生を防ぐようになっている。
【００３１】
ここで、図２乃至図５も参照して、共鳴防止部材７について具体的に説明する。
【００３２】
図２は、上記バックライト装置の要部構成を示す側面図である。図３は、上記バックライト装置の要部構成を示す平面図である。図４は、図２に示した共鳴防止部材の構成を説明する図であり、（ａ）及び（ｂ）はそれぞれ当該共鳴防止部材の上側部材及び下側部材を示す平面図である。図５は、上記共鳴防止部材での冷陰極蛍光管の保持部分を示す拡大平面図である。
【００３３】
図２及び図３に例示するように、本実施形態のバックライト装置２では、２個の共鳴防止部材７が冷陰極蛍光管６の長手方向と直交する方向（所定の配置方向）と平行となるように設けられている。また、これら共鳴防止部材７は、各冷陰極蛍光管６を保持した状態で、シャーシ２ａ（反射シート２ｂ）と拡散板８で囲まれた冷陰極蛍光管６の収納空間を三つの空間に区切るように設置されている。さらに、共鳴防止部材７では、冷陰極蛍光管６の保持部分を除いて、上記三つの空間の間での空気の流通を遮断するようにシャーシ２ａの内部に設けられており、共鳴防止部材７は、当該シャーシ２ａの内部に発生した音波を反射できるように構成されている。
【００３４】
具体的にいえば、共鳴防止部材７は、例えばポリカーボネートあるいはアクリル等の合成樹脂を用いて構成されている。また、共鳴防止部材７では、その表面の色が光拡散性を有する色、例えば白色に着色されている。また、共鳴防止部材７の表面では、例えばアクリル系の塗料にて上記のような白色とされている。
【００３５】
また、各共鳴防止部材７には、図４も参照して、断面三角形状の上側部材７ａと、上側部材７ａに脱着可能に構成された断面矩形状の下側部材７ｂと、下側部材７ｂの下部から下側に向かって突出するように設けられた断面略円柱状の係止部７ｃとが設けられている。そして、各共鳴防止部材７では、係止部７ｃがシャーシ２ａ及び反射シート２ｂに形成された各取付孔（図示せず）に挿通され、当該係止部７ｃの先端部分に設けられた円錐状部がシャーシ２ａの外側表面に接することにより、各共鳴防止部材７は、バックライト装置２に組み付けられている。なお、この説明以外に、ピンなどの固定部材を用いて、共鳴防止部材７をバックライト装置２に組み付ける構成でもよい。
【００３６】
上側部材７ａには、上辺７ａ１と、上辺７ａ１に連続的に形成された傾斜面７ａ２及び７ａ３と、傾斜面７ａ２及び７ａ３に連続的に形成された下面７ａ４とが設けられている。また、この下面７ａ４には、６本の各冷陰極蛍光管６を保持する保持空間を形成するための切欠部７ａ５が設けられている。
【００３７】
下側部材７ｂには、複数の係止部７ｃが一体的に形成された下面７ｂ１と、下面７ｂ１に連続的に形成された傾斜面７ｂ２及び７ｂ３と、傾斜面７ｂ２及び７ｂ３に連続的に形成された上面７ｂ４とが設けられている。また、この上面７ｂ４には、６本の各冷陰極蛍光管６を保持する保持空間を形成するための切欠部７ｂ５が設けられている。
【００３８】
また、共鳴防止部材７では、下側部材７ｂの上面７ｂ４に形成された複数のボス７ｂ６と、これらの各ボス７ｂ６に応じて上側部材７ａの下面７ａ４に形成された複数の嵌合穴７ａ６とがそれぞれ連結されることにより、上側部材７ａ及び下側部材７ｂは、一体化される。また、このように上側部材７ａ及び下側部材７ｂが一体化されたときに、図５に示すように、冷陰極蛍光管６は切欠部７ａ５及び７ｂ５で形成された保持空間内で保持されるようになっている。さらに、冷陰極蛍光管６は、例えば厚さ１ｍｍ程度のシリコーンゴムを用いて構成された緩衝部材７ｄ、７ｅを介在させて、上記保持空間内で安定した状態で保持されるようになっている。
【００３９】
また、共鳴防止部材７は、上側部材７ａの上辺７ａ１及び下側部材７ｂの下面７ｂ１がそれぞれ拡散板８の表面及び反射シート２の底面２ｂ１（図３）に接した状態で、シャーシ２ａに取り付けられている。また、共鳴防止部材７は、上側部材７ａの傾斜面７ａ２及び下側部材７ｂの傾斜面７ｂ２が反射シート２の傾斜面２ｂ２（図３）に接した状態で、かつ、上側部材７ａの傾斜面７ａ３及び下側部材７ｂの傾斜面７ｂ３が反射シート２の傾斜面２ｂ３（図３）に接した状態で、シャーシ２ａに取り付けられている。これにより、共鳴防止部材７は、冷陰極蛍光管６の保持部分を除いて、上記三つの空間の間での空気の流通を遮断することが可能となり、シャーシ２ａの内部に発生した音波を反射できるようになっている。この結果、冷陰極蛍光管６が点灯駆動されて、シャーシ２ａに漏れ電流が生じ、さらにこの生じた漏れ電流に起因する音波がシャーシ２ａの内部に発生したときでも、共鳴防止部材７は、音波を反射させることにより、当該音波が共鳴するのを防ぐことができる。
【００４０】
また、共鳴防止部材７は、図２及び図３にＣ１、Ｃ２、Ｃ３にて示すように、上記配置方向と直交する直交方向（すなわち、冷陰極蛍光管６の長手方向）における各々の離間距離が下記の式（１）を満足するように、シャーシ２ａの内部に設置されている。
【００４１】
Ｃ  ≠  ２×ｖ  ÷  （Ｎ×ｆ）                              ――（１）
但し、式（１）において、Ｎは自然数であり、ｆは上記調光周波数である。また、ｖは空気中での音速（約３３０ｍ／ｓｅｃ）であり、当該式（１）は、共鳴現象が発生しない条件式（すなわち、共鳴条件を崩す条件式）である。
【００４２】
具体的にいえば、図２の左側の共鳴防止部材７では、シャーシ２ａの左側側面（反射シート２ｂの左側側面２ｂ５）との間の離間距離Ｃ１、及び右側の共鳴防止部材７との間の離間距離Ｃ２が各々式（１）を満足するようになっている。また、右側の共鳴防止部材７では、シャーシ２ａの右側側面（反射シート２ｂの右側側面２ｂ３）との間の離間距離Ｃ３が式（１）を満足するようになっており、共鳴条件が崩れるように、左右の各共鳴防止部材７は、シャーシ２ａの内部に設けられている。これにより、上記音波の共鳴現象が発生するのを確実に防ぐことができる。
【００４３】
以上のように構成された本実施形態のバックライト装置２では、冷陰極蛍光管（線状光源）６を点灯駆動したときに、シャーシ２ａの内部を伝搬する音波を異なる位相で反射させることにより、当該音波がシャーシ２ａ内部で共鳴するのを防止する共鳴防止部材７が設けられている。これにより、本実施形態のバックライト装置２では、上記従来例と異なり、漏れ電流に起因する音波がシャーシ２ａの内部に発生したときでも、当該音波がシャーシ２ａの内部で増幅されるのを防ぐことができ、ノイズ音として外部に漏れ出るのを防止することができる。この結果、本実施形態のバックライト装置２では、漏れ電流に起因する周期的なノイズ音の発生を防ぐことができ、当該ノイズ音に起因する不快感がユーザに与えられるのを防止することができる。
【００４４】
また、本実施形態の液晶表示装置１では、漏れ電流に起因するノイズ音の発生を防ぐことができるバックライト装置２が用いられているので、上記ノイズ音の発生が防がれた低騒音な液晶表示装置１を容易に構成することができる。
【００４５】
［第２の実施形態］
図６は、本発明の第２の実施形態にかかるバックライト装置の要部構成を示す側面図である。図７は、図６に示したバックライト装置の要部構成を示す平面図である。図において、本実施形態と上記第１の実施形態との主な相違点は、２個の共鳴防止部材に代えて、３個の共鳴防止部材を用いるとともに、これら３個の共鳴防止部材を千鳥状に配設した点である。なお、上記第１の実施形態と共通する要素については、同じ符号を付して、その重複した説明を省略する。
【００４６】
すなわち、図６及び図７に示すように、本実施形態のバックライト装置２では、３個の共鳴防止部材１７、２７、及び３７が冷陰極蛍光管６の長手方向と直交する方向（所定の配置方向）と平行となるように、シャーシ２ａの内部に設けられている。また、これらの共鳴防止部材１７、２７、及び３７は、共鳴防止部材７と同様に、上側部材１７ａ、２７ａ、及び３７ａと、下側部材１７ｂ、２７ｂ、及び３７ｂとを備えており、係止部１７ｃ、２７ｃ、及び３７ｃを介在させてシャーシ２ａに取り付けられている。また、各共鳴防止部材１７、２７、及び３７は、例えば２本ずつの冷陰極蛍光管６を各々保持する光源保持具を兼用するように構成されている。さらには、共鳴防止部材１７、２７、及び３７では、図７に示すように、冷陰極蛍光管６の長手方向において、共鳴防止部材１７と共鳴防止部材２７、３７とが互い異なる位置に、かつ、共鳴防止部材２７、３７が互いに同じ位置に直線上に設置されており、共鳴防止部材１７、２７、及び３７は、シャーシ２ａの内部で千鳥状に設けられている。
【００４７】
ここで、図８も参照して、共鳴防止部材１７の構成について具体的に説明する。なお、共鳴防止部材２７、３７は、互いに同一の形状に構成されるとともに、共鳴防止部材１７と冷陰極蛍光管６を保持する保持空間を形成するための切欠部の形成位置だけが異なる。それゆえ、共鳴防止部材２７、３７の詳細な説明は省略する。
【００４８】
図８は、図６に示した共鳴防止部材の構成を説明する図であり、（ａ）及び（ｂ）はそれぞれ当該共鳴防止部材の上側部材及び下側部材を示す平面図であり、（ｃ）は当該共鳴防止部材での冷陰極蛍光管の保持部分を示す拡大平面図である。
【００４９】
図８（ａ）及び（ｂ）に示すように、共鳴防止部材１７は、共鳴防止部材７と同様に、断面三角形状の上側部材１７ａと、上側部材１７ａに脱着可能に構成された断面矩形状の下側部材１７ｂと、下側部材１７ｂの下部から下側に向かって突出するように設けられた断面略円柱状の係止部１７ｃとが設けられている。そして、共鳴防止部材１７では、係止部１７ｃがシャーシ２ａ及び反射シート２ｂに形成された各取付孔（図示せず）に挿通され、当該係止部１７ｃの先端部分に設けられた円錐状部がシャーシ２ａの外側表面に接することにより、共鳴防止部材１７は、バックライト装置２に組み付けられている。
【００５０】
上側部材１７ａには、上辺１７ａ１と、上辺１７ａ１に連続的に形成された傾斜面１７ａ２及び１７ａ３と、傾斜面１７ａ２及び１７ａ３に連続的に形成された下面１７ａ４とが設けられている。また、この下面１７ａ４には、２本の各冷陰極蛍光管６を保持する保持空間を形成するための切欠部１７ａ５が設けられている。
【００５１】
下側部材１７ｂには、複数の係止部１７ｃが一体的に形成された下面１７ｂ１と、下面１７ｂ１に連続的に形成された傾斜面１７ｂ２及び１７ｂ３と、傾斜面１７ｂ２及び１７ｂ３に連続的に形成された上面１７ｂ４とが設けられている。また、この上面１７ｂ４には、２本の各冷陰極蛍光管６を保持する保持空間を形成するための切欠部１７ｂ５が設けられている。
【００５２】
また、共鳴防止部材１７では、下側部材１７ｂの上面１７ｂ４に形成されたボス１７ｂ６と、ボス１７ｂ６に応じて上側部材１７ａの下面１７ａ４に形成された嵌合穴１７ａ６とが連結されることにより、上側部材１７ａ及び下側部材１７ｂは、一体化される。また、このように上側部材１７ａ及び下側部材１７ｂが一体化されたときに、図８（ｃ）に示すように、冷陰極蛍光管６は切欠部１７ａ５及び１７ｂ５で形成された保持空間内で保持されるようになっている。さらに、冷陰極蛍光管６は、例えば厚さ１ｍｍ程度のシリコーンゴムを用いて構成された緩衝部材１７ｄ、１７ｅを介在させて、上記保持空間内で安定した状態で保持されるようになっている。
【００５３】
また、共鳴防止部材１７は、上側部材１７ａの上辺１７ａ１及び下側部材１７ｂの下面１７ｂ１がそれぞれ拡散板８の表面及び反射シート２の底面２ｂ１（図７）に接した状態で、シャーシ２ａに取り付けられている。さらに、共鳴防止部材２７では、いずれか一方の傾斜面が反射シート２の傾斜面２ｂ２に接した状態でシャーシ２ａに取り付けられ、共鳴防止部材３７では、いずれか一方の傾斜面が反射シート２の傾斜面２ｂ４に接した状態でシャーシ２ａに取り付けられている。
【００５４】
また、各共鳴防止部材１７、２７、及び３７では、共鳴防止部材７と同様に、漏れ電流に起因する音波がシャーシ２ａの内部に発生したときでも、各共鳴防止部材１７、２７、及び３７は、音波を反射可能に構成されており、当該音波が共鳴するのを防ぐことができるようになっている。
【００５５】
さらに、共鳴防止部材１７、２７、及び３７は、端部が冷陰極蛍光管６の長手方向で互いに重なるように構成されている。つまり、図７に示すように、冷陰極蛍光管６の長手方向において、共鳴防止部材１７の上側端部と共鳴防止部材２７の下側端部とが互いに重なるように設けられている。また、共鳴防止部材１７の下側端部と共鳴防止部材３７の上側端部とが互いに重なるように設けられている。これにより、共鳴防止部材１７、２７、及び３７では、冷陰極蛍光管６の長手方向に沿って伝播する音波をより確実に反射することができる。
【００５６】
また、共鳴防止部材７は、図７にＣ４、Ｃ５、Ｃ６、Ｃ７、Ｃ８にて示すように、上記配置方向と直交する直交方向（すなわち、冷陰極蛍光管６の長手方向）における各々の離間距離が上記式（１）を満足するように、シャーシ２ａの内部に設置されている。
【００５７】
具体的にいえば、共鳴防止部材１７では、シャーシ２ａの左側側面（反射シート２ｂの左側側面２ｂ５）との間の離間距離Ｃ４、共鳴防止部材２７、３７との各間の離間距離Ｃ５、及びシャーシ２ａの右側側面（反射シート２ｂの右側側面２ｂ３）との間の離間距離Ｃ７が式（１）を各々満足するようになっている。また、各共鳴防止部材２７、３７では、シャーシ２ａの左側側面との間の離間距離Ｃ８、及びシャーシ２ａの右側側面との間の離間距離Ｃ６が式（１）を各々満足するようになっており、共鳴条件が崩れるように、各共鳴防止部材１７、２７、及び３７は、シャーシ２ａの内部に設けられている。これにより、上記音波の共鳴現象が発生するのを確実に防ぐことができる。
【００５８】
以上の構成により、本実施形態のバックライト装置２では、第１の実施形態のものと同様な作用・効果を奏することができる。すなわち、本実施形態のバックライト装置２では、上記従来例と異なり、漏れ電流に起因する上記ノイズ音の発生を防止することができる。
【００５９】
また、本実施形態のバックライト装置２では、図７に示したように、共鳴防止部材１７、２７、及び３７がシャーシ２ａの内部に千鳥状に設置されているので、第１の実施形態のものに比べて、冷陰極蛍光管６から外部に出射される光の輝度が部分的に低下するのを確実に抑制することができる。この結果、本実施形態のバックライト装置２では、その発光面に共鳴防止部材の影が現れるのを極力抑えることができ、バックライト装置２に輝度ムラが生じるのを防ぐことが可能となる。
【００６０】
なお、上記の説明以外に、例えば図７の右上部分から左下部分に向かって、共鳴防止部材２７、１７、及び３７が同図７での左下がり斜線上に順次配設される構成でもよい。つまり、本実施形態は、所定の配置方向と平行となるように、複数個の共鳴防止部材をシャーシの内部に設ける場合に、これらの複数個の共鳴防止部材において、配置方向と直交する直交方向で隣接する２個の共鳴防止部材を、上記直交方向に対して互いに斜めにずらされた状態で、配設する構成であればよい。
【００６１】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【００６２】
例えば、上記の説明では、本発明を透過型の液晶表示装置に適用した場合について説明したが、本発明のバックライト装置はこれに限定されるものではなく、光源の光を利用して、画像、文字などの情報を表示する非発光型の表示部を備えた各種表示装置に適用することができる。具体的には、半透過型の液晶表示装置、あるいは液晶パネルをライトバルブに用いた投写型表示装置に本発明のバックライト装置を好適に用いることができる。
【００６３】
また、上記の説明以外に、本発明は、レントゲン写真に光を照射するシャウカステンあるいは写真ネガ等に光を照射して視認をし易くするためのライトボックスや、看板や駅構内の壁面などに設置される広告等をライトアップする発光装置のバックライト装置として好適に用いることができる。
【００６４】
また、上記の説明では、２個または３個の共鳴防止部材を用いた場合について説明したが、本発明はシャーシの内部に、線状光源を点灯駆動したときに、シャーシの内部を伝搬する音波を異なる位相で反射させることによって、音波がシャーシ内部で共鳴するのを防止する共鳴防止部材を設けたものであればよく、共鳴防止部材の構成、設置数、設置箇所などは上記のものに何等限定されない。
【００６５】
但し、上記の各実施形態のように、上記式（１）を満足するように、共鳴防止部材を設置する場合の方が、上記音波の共鳴現象の発生を確実に防ぐことができ、上記ノイズ音の外部への漏洩をより確実に防止することができる点で好ましい。
【００６６】
具体的には、１個の共鳴防止部材を所定の配置方向と平行となるように、シャーシの内部に設ける場合では、１個の共鳴防止部材とシャーシの互いに対向する一方及び他方の各側面との間の配置方向と直交する直交方向における、各々の離間距離Ｃが上記式（１）を満足するように、当該１個の共鳴防止部材を設置すればよい。
【００６７】
また、少なくとも２個の共鳴防止部材を所定の配置方向と平行となるように、シャーシの内部に設ける場合では、少なくとも２個の各共鳴防止部材と前記シャーシの互いに対向する一方及び他方の各側面との間及び各共鳴防止部材と他の共鳴防止部材との間の前記配置方向と直交する直交方向における、各々の離間距離Ｃが上記式（１）を満足するように、当該少なくとも２個の各共鳴防止部材を設置すればよい。
【００６８】
また、上記の説明では、線状光源の長手方向と直交する方向と平行となるように、共鳴防止部材を配置した場合について説明したが、本発明はこれに限定されるものではなく、線状光源を点灯駆動させたときにシャーシの内部に生じる音波の伝搬方向に応じて設置すればよい。具体的には、例えば線状光源の長手方向と平行に共鳴防止部材を設けることもできる。
【００６９】
但し、線状光源の長手方向と直交する方向と平行となるように、共鳴防止部材を設ける場合では、上記の各実施形態のように、共鳴防止部材と、線状光源を保持する光源保持具とを兼用させることができ、バックライト装置の部品点数の削減を図ることが可能となる。
【００７０】
また、上記の説明では、冷陰極蛍光管を用いた場合について説明したが、本発明の線状光源はこれに限定されるものではなく、熱陰極蛍光管やキセノン蛍光管などの他の放電蛍光管あるいはＵ字管（擬似Ｕ字管を含む。）などの非直管状のランプ、または発光ダイオード（ＬＥＤ）等の点状光源を複数直線上に配列して、線状光源化したものも使用することができる。
【産業上の利用可能性】
【００７１】
本発明は、漏れ電流に起因するノイズ音の発生を防ぐことができるバックライト装置、及びこれを用いた表示装置に対して有用である。
【図面の簡単な説明】
【００７２】
【図１】本発明の第１の実施形態にかかるバックライト装置及び液晶表示装置を説明する図である。
【図２】上記バックライト装置の要部構成を示す側面図である。
【図３】上記バックライト装置の要部構成を示す平面図である。
【図４】図２に示した共鳴防止部材の構成を説明する図であり、（ａ）及び（ｂ）はそれぞれ当該共鳴防止部材の上側部材及び下側部材を示す平面図である。
【図５】上記共鳴防止部材での冷陰極蛍光管の保持部分を示す拡大平面図である。
【図６】本発明の第２の実施形態にかかるバックライト装置の要部構成を示す側面図である。
【図７】図６に示したバックライト装置の要部構成を示す平面図である。
【図８】図６に示した共鳴防止部材の構成を説明する図であり、（ａ）及び（ｂ）はそれぞれ当該共鳴防止部材の上側部材及び下側部材を示す平面図であり、（ｃ）は当該共鳴防止部材での冷陰極蛍光管の保持部分を示す拡大平面図である。
【符号の説明】
【００７３】
１  液晶表示装置
２  バックライト装置
２ａ  シャーシ
６  冷陰極蛍光管（線状光源）
７、１７、２７、３７  共鳴防止部材
【図１】
2008251459.tif 000003
【図２】
2008251459.tif 000004
【図３】
2008251459.tif 000005
【図４】
2008251459.tif 000006
【図５】
2008251459.tif 000007
【図６】
2008251459.tif 000008
【図７】
2008251459.tif 000009
【図８】
2008251459.tif 000010